(57)【特許請求の範囲】
【請求項１】
直流電圧を複数の電圧レベルに変換した交流出力を生成する５レベル電力変換器であって、
直流電圧源と、
前記直流電圧源の正負極端間に順次直列接続された第３，第４コンデンサと、
前記直流電圧源の正負極間に第６スイッチング素子と第１，第２コンデンサと第７スイッチング素子を順次直列接続した第１直列回路と、第６スイッチング素子と第１コンデンサとの共通接続点と第２コンデンサと第７スイッチング素子との共通接続点との間に第１，第２，第３，第４スイッチング素子を順次直列接続した第２直列回路と、第６スイッチング素子と第１コンデンサとの共通接続点と第２コンデンサと第７スイッチング素子との共通接続点との間に第３ダイオードと第９，第１０スイッチング素子と第４ダイオードを順次直列接続した第３直列回路と、前記第１，第２スイッチング素子の共通接続点と第３，第４スイッチング素子との共通接続点との間に介挿された第１，第２ダイオードと、第３ダイオードと第９スイッチング素子との共通接続点と第１０スイッチング素子と第４ダイオードとの共通接続点との間に介挿された第５，第６ダイオードと、を有する５レベルインバータと、
前記第１〜第４，第６，第７，第９，第１０スイッチング素子をオンオフ制御することにより５つの電圧レベルを出力させる制御手段と、を備え、
第５，第６ダイオードの共通接続点と第３，第４コンデンサの第１中性点を接続して該第１中性点を出力端子Ｂとし、第９，第１０スイッチング素子の共通接続点と第１，第２コンデンサの第２中性点と第１，第２ダイオードの共通接続点とを接続し、第２，第３スイッチング素子の共通接続点を出力端子Ａとすることを特徴とする５レベル電力変換器。
【請求項２】
前記制御手段のオンオフ制御は、同一電圧レベル出力時に、前記第１，第２コンデンサを充電させる制御モードと、放電させる制御モードを有していることを特徴とする請求項１記載の５レベル電力変換器。
【請求項３】
前記５レベルインバータをＵ相，Ｖ相，Ｗ相にそれぞれ備え、
前記出力端子Ｂを三相の５レベルインバータの第１中性点として共通接続し、前記出力端子ＡをＵ相，Ｖ相，Ｗ相の各出力端とすることを特徴とする請求項１または２記載の５レベル電力変換器。
【発明の詳細な説明】
【技術分野】
【０００１】
本発明は、１つの直流電圧源における正負極間の直流電圧を５つの電圧レベルに変換した交流電圧を出力する５レベル電力変換器に関する。
【背景技術】
【０００２】
図３は、特許文献１において開示された５レベル電力変換器における主回路を示す回路構成図である。 図３に示す５レベル電力変換器は、５レベルインバータＩＮＶ２の直流側に接続される直流電源の電圧を４分圧するために４つのコンデンサＣdc1，Ｃdc2，Ｃdc3，Ｃdc4が直列接続されており、このコンデンサＣdc1〜Ｃdc4に蓄えられたエネルギーを用いて５レベルの電位を有する交流出力が生成される。
【０００３】
原理上、５レベルインバータＩＮＶ２には有効電力が流入もしくは流出するため、コンデンサＣdc2，Ｃdc3の充放電がコンデンサＣdc1，Ｃdc4の充放電より多くなり、４つのコンデンサＣdc1〜Ｃdc4に生じる電圧の各平均値が等しくならないという問題が発生する。
【０００４】
交流出力における各レベル間の波高を全て等しく（均一）にするためには、各コンデンサＣdc1〜Ｃdc4に生じる直流電圧の平均値が全て等しくなるよう制御する必要がある。そこで、特許文献１では、各コンデンサＣdc1〜Ｃdc4における直流電圧の平均値が全て等しくなるよう制御するための電圧均一回路（Ｖｏｌｔａｇｅ−ｂａｒａｎｃｉｎｇ  ｃｉｒｃｕｉｔ）ｖｂｃが、５レベルインバータＩＮＶ２の直流側に接続されている。
【０００５】
５レベル電力変換器に備えられた５レベルインバータＩＮＶ２では、出力端をＡとすると、以下（１）〜（５）に示すスイッチングモードにより、端子ＡＭ間には以下（１）〜（５）に示す５レベルの電圧が出力される。
（１）スイッチング素子Ｓ１１，Ｓ１２，Ｓ１３，Ｓ１４がオン、スイチング素子Ｓ１５，Ｓ１６，Ｓ１７，Ｓ１８がオフの時：「電圧２Ｅ」
（２）スイッチング素子Ｓ１２，Ｓ１３，Ｓ１４，Ｓ１５がオン、スイッチング素子Ｓ１１，Ｓ１６，Ｓ１７，Ｓ１８がオフの時：「電圧Ｅ」
（３）スイッチング素子Ｓ１３，Ｓ１４，Ｓ１５，Ｓ１６がオン、スイッチング素子Ｓ１１，Ｓ１２，Ｓ１７，Ｓ１８がオフの時：「電圧０」
（４）スイッチング素子Ｓ１４，Ｓ１５，Ｓ１６，Ｓ１７がオン、スイッチング素子Ｓ１１，Ｓ１２，Ｓ１３，Ｓ１８がオフの時：「電圧−Ｅ」
（５）スイッチング素子Ｓ１５，Ｓ１６，Ｓ１７，Ｓ１８がオン，スイッチング素子Ｓ１１，Ｓ１２，Ｓ１３，Ｓ１４がオフの時：「電圧−２Ｅ」
【先行技術文献】
【特許文献】
【０００６】
【特許文献１】特開２０１０−２２０３６４号公報
【特許文献２】特開２０１１−７２１１８号公報
【発明の概要】
【発明が解決しようとする課題】
【０００７】
図３に示す特許文献１の５レベル電力変換器では、電圧均一回路ｖｂｃを用いることで，リアクトルＬｃや素子数が増加し、装置の大形化及びコストアップに繋がるという問題があった。さらに、図３に示す５レベルインバータは、クランプ用のダイオードを多く必要とするという問題があった。
【０００８】
また、特許文献２の図１に示す回路では、スイッチング素子８個、コンデンサ２個で構成できる。しかし、特許文献２の図１に示す回路は、コンデンサＣ１，Ｃ２の電圧を調節できず、出力電圧波形にひずみが生じてしまう恐れがある。また、段落［００１６］〜［００１８］に記載されているとおり、スイッチング素子に２Ｅの電圧がかかる場合もある。この場合には、耐圧の高いスイッチング素子を使用するか、もしくは、耐圧の高いスイッチング素子がない等の理由により、スイッチング素子を２個直列に接続する必要がある。そのため、耐圧の高いスイッチング素子を使用した場合はコストアップに繋がり、スイッチング素子を２個直列に接続した場合は、回路を構成する素子数が増えてしまう問題があった。
【０００９】
以上示したようなことから、電圧均一回路を用いることなく各相のコンデンサ電圧の平均値を等しくすることにより装置の小型化およびコストの低減を図ると共に、少ない素子数で５レベル電力変換器を実現することが課題となる。
【課題を解決するための手段】
【００１０】
本発明は、前記従来の問題に鑑み、案出されたもので、その一態様は、直流電圧を複数の電圧レベルに変換した交流出力を生成する５レベル電力変換器であって、直流電圧源と、前記直流電圧源の正負極端間に順次直列接続された第３，第４コンデンサと、前記直流電圧源の正負極間に第６スイッチング素子と第１，第２コンデンサと第７スイッチング素子を順次直列接続した第１直列回路と、第６スイッチング素子と第１コンデンサとの共通接続点と第２コンデンサと第７スイッチング素子との共通接続点との間に第１，第２，第３，第４スイッチング素子を順次直列接続した第２直列回路と、第６スイッチング素子と第１コンデンサとの共通接続点と第２コンデンサと第７スイッチング素子との共通接続点との間に第３ダイオードと第９，第１０スイッチング素子と第４ダイオードを順次直列接続した第３直列回路と、前記第１，第２スイッチング素子の共通接続点と第３，第４スイッチング素子との共通接続点との間に介挿された第１，第２ダイオードと、第３ダイオードと第９スイッチング素子との共通接続点と第１０スイッチング素子と第４ダイオードとの共通接続点との間に介挿された第５，第６ダイオードと、を有する５レベルインバータと、前記第１〜第４，第６，第７，第９，第１０スイッチング素子をオンオフ制御することにより５つの電圧レベルを出力させる制御手段と、を備え、第５，第６ダイオードの共通接続点と第３，第４コンデンサの第１中性点を接続して該第１中性点を出力端子Ｂとし、第９，第１０スイッチング素子の共通接続点と第１，第２コンデンサの第２中性点と第１，第２ダイオードの共通接続点とを接続し、第２，第３スイッチング素子の共通接続点を出力端子Ａとすることを特徴とする。
【００１１】
また、その一態様として、前記制御手段のオンオフ制御は、同一電圧レベル出力時に、前記第１，第２コンデンサを充電させる制御モードと、放電させる制御モードを有していることを特徴とする。
【００１２】
また、その一態様として、前記５レベルインバータをＵ相，Ｖ相，Ｗ相にそれぞれ備え、前記出力端子Ｂを三相の５レベルインバータの第１中性点として共通接続し、前記出力端子ＡをＵ相，Ｖ相，Ｗ相の各出力端とすることを特徴とする。
【発明の効果】
【００１３】
本発明によれば、電圧均一回路を用いることなく各相のコンデンサ電圧の平均値を等しくすることにより装置の小型化およびコストの低減を図ると共に、少ない素子数で５レベル電力変換器を実現することが可能となる。
【図面の簡単な説明】
【００１４】
【図１】本実施形態１における５レベル電力変換器の主回路を示す回路構成図である。
【図２】本実施形態２における５レベル電力変換器の主回路を示す回路構成図である。
【図３】特許文献１における５レベル電力変換器の主回路を示す回路構成図である。
【発明を実施するための形態】
【００１５】
以下、実施形態１，２における５レベル電力変換器を図１，図２に基づいて詳細に説明する。
【００１６】
［実施形態１］
図１は、本実施形態１における５レベル電力変換器１の主回路を示す回路構成図である。図１に示すように、本実施形態１における５レベル電力変換器１は、直流電源ＶDCの正負極端間に第３，第４コンデンサＣ３，Ｃ４を直列接続し、その第３，第４コンデンサＣ３，Ｃ４の共通接続点を第１中性点ＮＰとする。ここで、第１中性点ＮＰを出力端子Ｂとする。また、以下の説明では、直流電源ＶDCの正極端をＰ、負極端をＮと表現する。
【００１７】
前記Ｐから第５，第６スイッチング素子Ｓ５，Ｓ６，第１コンデンサＣ１を順次直列に接続する。前記Ｎから、第８，第７スイッチング素子Ｓ８，Ｓ７，第２コンデンサＣ２を順次直列に接続する。また、第１，第２コンデンサＣ１とＣ２は直列に接続し、第５，第６スイッチング素子Ｓ５，Ｓ６，第１，第２コンデンサＣ１，Ｃ２，第７，第８スイッチング素子Ｓ７，Ｓ８で第１直列回路を構成する。第１コンデンサＣ１と第２コンデンサＣ２の共通接続点を第２中性点ＮＰ´とする。
【００１８】
ここで、図１では、耐圧を考慮して２つのスイッチング素子（第５，第６スイッチング素子Ｓ５とＳ６および第７，第８スイッチング素子Ｓ７とＳ８）を直列接続している零を示しているが、１つのスイッチング素子の耐圧以下で使用する場合には、それぞれ１つのスイッチング素子でよい。
【００１９】
第１，第２，第３，第４スイッチング素子Ｓ１，Ｓ２，Ｓ３，Ｓ４を順次直列接続し、第２直列回路を構成する。前記第１スイッチング素子Ｓ１は第６スイッチング素子Ｓ６と第１コンデンサＣ１との共通接続点に接続し、前記第４スイッチング素子Ｓ４は、第２コンデンサＣ２と第７スイッチング素子Ｓ７との共通接続点に接続する。ここで、第２直列回路の中点（第２，第３スイッチング素子Ｓ２，Ｓ３の共通接続点）を出力端子Ａとする。また、第１，第２スイッチング素子Ｓ１，Ｓ２の共通接続点と、第３，第４スイッチング素子Ｓ３，Ｓ４の共通接続点と、の間に第１，第２ダイオードＤ１，Ｄ２を介挿し、第１，第２ダイオードＤ１，Ｄ２の共通接続点は、第２中性点ＮＰ´と接続される。
【００２０】
また、第６スイッチング素子Ｓ６と第１コンデンサＣ１との共通接続点と、第２コンデンサＣ２と第７スイッチング素子Ｓ７との共通接続点と、の間には、第３ダイオードＤ３，第９，第１０スイッチング素子Ｓ９，Ｓ１０，第４ダイオードＤ４を順次直列接続した第３直列回路が接続される。前記第９スイッチング素子Ｓ９と第１０スイッチング素子Ｓ１０との共通接続点は第２中性点ＮＰ´と接続される。第３ダイオードＤ３と第９スイッチング素子Ｓ９との共通接続点と、第１０スイッチング素子Ｓ１０と第４ダイオードＤ４との共通接続点との間に、第５，第６ダイオードＤ５，Ｄ６を介挿し、第５，第６ダイオードＤ５，Ｄ６の共通接続点は、第１中性点ＮＰと接続される。
【００２１】
図１に示す５レベルインバータＩＮＶ１は、直流電源１個，スイッチング素子１０個（スイッチング素子の耐圧が許容できる場合には第５，第６スイッチング素子Ｓ５，Ｓ６および第７，第８スイッチング素子Ｓ７，Ｓ８をそれぞれ１のスイッチング素子とすることができ、スイッチング素子は８個となる），ダイオード６個，コンデンサ２個により構成することができる。
【００２２】
前記５レベル電力変換器１は、第１，第２コンデンサＣ１，Ｃ２の電圧がＥ，第３，第４コンデンサＣ３，Ｃ４の電圧が２Ｅの時、図示省略の制御手段において、前記スイッチング素子Ｓ１〜Ｓ１０を下記表１に示すモード１〜７のスイッチングパターンに従ってオンオフ制御することにより、出力端子ＡＢ間に５レベルの電圧２Ｅ，Ｅ，０，−Ｅ，−２Ｅを出力できる。また、表１には、出力端子Ａに出力する電流ＩAを正としたときの第１，第２コンデンサＣ１とＣ２の充放電状態の有無を示している。
【００２３】
【表１】
0005910333.tif 000002
【００２４】
ここで、表１のスイッチングパターンの各モード１〜７と出力端子Ａ，Ｂ間の電流ＩAの経路について説明する。
【００２５】
〈モード１〉
第３，第４，第７，第８，第９，第１０スイッチング素子Ｓ３，Ｓ４，Ｓ７，Ｓ８，Ｓ９，Ｓ１０がオフ，第１，第２，第５，第６スイッチング素子Ｓ１，Ｓ２，Ｓ５，Ｓ６がオンとなり、電流ＩAは出力端子Ｂ→第１中性点ＮＰ→第３コンデンサＣ３→Ｐ→Ｓ５→Ｓ６→Ｓ１→Ｓ２→出力端子Ａの経路で流れる。出力端子ＡＢ間には第３コンデンサＣ３の負側→正側が接続され、出力端子Ａ，Ｂ間の電圧は２Ｅとなる。
【００２６】
〈モード２〉
第１，第４，第７，第８，第９，第１０スイッチング素子Ｓ１，Ｓ４，Ｓ７，Ｓ８，Ｓ９，Ｓ１０がオフ，第２，第３，第５，第６スイッチング素子Ｓ２，Ｓ３，Ｓ５，Ｓ６がオンとなり、電流ＩAは、出力端子Ｂ→第１中性点ＮＰ→第３コンデンサＣ３→Ｐ→Ｓ５→Ｓ６→第１コンデンサＣ１→第２中性点ＮＰ´→Ｄ１→Ｓ２→出力端子Ａの経路で流れる。出力端子ＡＢ間には第３コンデンサＣ３の負側→正側→第１コンデンサＣ１の正側→負側が直列に接続され、出力端子ＡＢ間の電圧は２Ｅ−Ｅ＝Ｅとなる。このモード２では電流ＩA＞０のとき第１コンデンサＣ１は充電される。
【００２７】
〈モード３〉
第３，第４，第５，第６，第７，第８スイッチング素子Ｓ３，Ｓ４，Ｓ５，Ｓ６，Ｓ７，Ｓ８はオフ，第１，第２，第９，第１０スイッチング素子Ｓ１，Ｓ２，Ｓ９，Ｓ１０はオンとなり、電流ＩAは出力端子Ｂ→第１中性点ＮＰ→Ｄ５→Ｓ９→第２中性点ＮＰ´→第１コンデンサＣ１→Ｓ１→Ｓ２→出力端子Ａ（または、電流ＩAが負の時、出力端子Ｂ→第１中性点ＮＰ→Ｄ６→Ｓ１０→第２中性点ＮＰ´→第１コンデンサＣ１→Ｓ１→Ｓ２→出力端子Ａ）の経路で流れる。出力端子ＡＢ間には第１コンデンサＣ１の負側→正側が接続され、出力端子ＡＢ間の電圧はＥとなる。このモード３では電流ＩA＞０のとき第１コンデンサＣ１は放電される。
【００２８】
〈モード４〉
第１，第４，第５，第６，第７，第８スイッチング素子Ｓ１，Ｓ４，Ｓ５，Ｓ６，Ｓ７，Ｓ８はオフ，第２，第３，第９，第１０スイッチング素子Ｓ２，Ｓ３，Ｓ９，Ｓ１０がオンとなり、電流ＩAは出力端子Ｂ→第１中性点ＮＰ→Ｄ５→Ｓ９→第２中性点ＮＰ´→Ｄ１→Ｓ２→出力端子Ａ（または、電流ＩAが負の時、出力端子Ｂ→第１中性点ＮＰ→Ｄ６→Ｓ１０→第２中性点ＮＰ´→Ｄ２→Ｓ３→出力端子Ａ）の経路で流れる。出力端子ＡＢ間には第９，第２スイッチング素子Ｓ９，Ｓ２（または、電流ＩAが負の時、第１０，第３スイッチング素子Ｓ１０，Ｓ３）を介して直送され、出力端子ＡＢ間の電圧は０となる。
【００２９】
〈モード５〉
第１，第２，第５，第６，第７，第８スイッチング素子Ｓ１，Ｓ２，Ｓ５，Ｓ６，Ｓ７，Ｓ８はオフ，第３、第４，第９，第１０スイッチング素子Ｓ３，Ｓ４，Ｓ９，Ｓ１０がオンとなり、電流ＩAは出力端子Ｂ→第１中性点ＮＰ→Ｄ５→Ｓ９→第２中性点ＮＰ´→第２コンデンサＣ２→Ｓ４→Ｓ３→出力端子Ａ（または、電流ＩAが負の時、出力端子Ｂ→第１中性点ＮＰ→Ｄ６→Ｓ１０→第２中性点ＮＰ´→第２コンデンサＣ２→Ｓ４→Ｓ３→出力端子Ａ）の経路で流れる。出力端子ＡＢ間には、第２コンデンサＣ２の正側→負側が接続され、出力端子ＡＢ間の電圧は、−Ｅとなる。このモード５では、電流ＩA＞０のとき第２コンデンサＣ２は放電される。
【００３０】
〈モード６〉
第１，第４，第５，第６，第９，第１０スイッチング素子Ｓ１，Ｓ４，Ｓ５，Ｓ６，Ｓ９，Ｓ１０はオフ，第２，第３，第７，第８スイッチング素子Ｓ２，Ｓ３，Ｓ７，Ｓ８がオンとなり、電流ＩAは出力端子Ｂ→第１中性点ＮＰ→第４コンデンサＣ４→Ｎ→Ｓ８→Ｓ７→第２コンデンサＣ２→第２中性点ＮＰ´→Ｄ１→Ｓ２→出力端子Ａ（または、電流ＩAが負の時、出力端子Ｂ→第１中性点ＮＰ→第４コンデンサＣ４→Ｎ→Ｓ８→Ｓ７→第２コンデンサＣ２→第２中性点ＮＰ´→Ｄ２→Ｓ３→出力端子Ａ）の経路で流れる。出力端子ＡＢ間には第４コンデンサＣ４の正側→負側→第２コンデンサＣ２の負側→正側が直列に接続され、出力端子ＡＢ間の電圧は、−２Ｅ＋Ｅ＝Ｅとなる。このモード６では、電流ＩA＞０のとき第２コンデンサＣ２は充電される。
【００３１】
〈モード７〉
第１，第２，第５，第６，第９，第１０スイッチング素子Ｓ１，Ｓ２，Ｓ５，Ｓ６，Ｓ９，Ｓ１０はオフ，第３，第４，第７，第８スイッチング素子Ｓ３，Ｓ４，Ｓ７，Ｓ８はオンとなり、電流ＩAは出力端子Ｂ→第１中性点ＮＰ→第４コンデンサＣ４→Ｎ→Ｓ８→Ｓ７→Ｓ４→Ｓ３→出力端子Ａの経路で流れる。出力端子ＡＢ間には、第４コンデンサＣ４の正側→負側が接続され、出力端子ＡＢ間の電圧は−２Ｅとなる。
【００３２】
第１，第２コンデンサＣ１，Ｃ２の電圧は、５レベル電力変換器の出力電圧がＥまたは−Ｅのとき充電または放電するスイッチングパターン（表１のＭｏｄｅ２，３，５，６）を利用して制御することができる。すなわち、モード２とモード３の出力電圧 はどちらも＋Ｅであるが、第１コンデンサＣ１を充電または放電が可能であるため、第１コンデンサＣ１の電圧を調節することが可能である。同様に、モード５とモード６の出力電圧はどちらも−Ｅであるが、第２コンデンサＣ２を充電または放電が可能であるため、第２コンデンサＣ２の電圧を調節することが可能である。
【００３３】
また、表１に示すとおり、零電圧のスイッチングパターンがモード４の１つであり、零電圧のスイッチングパターンが複数個ある回路に比べてスイッチングパターンの総数が少なく制御負荷を軽減することが可能である。
【００３４】
以上示したように、本実施形態１の５レベル電力変換器によれば、１つの直流電源をコンデンサで２分圧した正極，負極，第１中性点による直流入力に対して少ない素子数（スイッチング素子１０個（素子の耐圧によっては８個），ダイオード６個，コンデンサ２個）で、かつ、コンデンサ電圧の調節が可能な５レベルインバータを実現できる。
【００３５】
また、第１コンデンサＣ１の電圧がゼロのとき、Ｐ−ＮＰ間は、第５，第６スイッチング素子Ｓ５，Ｓ６，第３，第５ダイオードＤ３，Ｄ５の４個の素子で短絡を防止することができる。また、第２コンデンサＣ２の電圧がゼロのとき、ＮＰ−Ｎ間は、第８，第７スイッチング素子Ｓ８，Ｓ７，第４，第６ダイオードＤ４，Ｄ６の４個の素子で短絡を防止することができる。このため、第３，第４コンデンサＣ３，Ｃ４の電圧が２Ｅであっても、これら４個の素子に加わる電圧ストレスは２Ｅ／４＝Ｅ／２とすることができ、少ない素子数で高電圧用途の負荷に適用できる。
【００３６】
［実施形態２］
図２は、本実施形態２における５レベル電力変換器２を示す回路構成図である。図２において、図１と同一部分は同一符号をもって示し、その説明は省略する。本実施形態２における５レベル電力変換器は、実施形態１における５レベルインバータＩＮＶ１を３相分設けてＹ結線に接続し、Ｕ相，Ｖ相，Ｗ相の三相に対して、５レベルの電圧（２Ｅ，Ｅ，０，−Ｅ，−２Ｅ）を出力可能にしたものである。
【００３７】
本実施形態２における５レベル電力変換器２は、実施形態１における出力端子Ｂ（第１中性点ＮＰ）同士を接続し、各相の出力端子Ａを三相各相の出力端子Ｕ，Ｖ，Ｗとしている。
【００３８】
図２の５レベルインバータＩＮＶ１の各動作は図１の５レベルインバータＩＮＶ１と同一である。また、図２の５レベル電力変換器２では、第１中性点ＮＰを基準に三相Ｕ，Ｖ，Ｗに５レベル電圧２Ｅ，Ｅ，０，−Ｅ，−２Ｅを出力することができる。
【００３９】
以上示したように、本実施形態２における５レベル電力変換器によれば、実施形態１の作用効果に加え、１つの直流電源をコンデンサで２分圧した正極，負極，第１中性点による直流入力に対して、スイッチング素子３０個（スイッチング素子Ｓ５，Ｓ６およびＳ７，Ｓ８を１つにした場合は、２４個）ダイオード１８個，コンデンサ６個で、かつ、各相のコンデンサ電圧の調節が可能な５レベルインバータによる三相交流出力回路の適用が実現できる。
【００４０】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。 
【００４１】
例えば、実施形態１，２では、直流電圧源として直流電源ＶDCを使用した例を示したが、交流電源を整流した直流電圧とする構成でも良い。
【符号の説明】
【００４２】
１，２…５レベル電力変換器
ＩＮＶ１，ＩＮＶ２…５レベルインバータ
ＶDC…直流電圧源
Ｓ１〜Ｓ１０…第１〜第１０スイッチング素子
Ｃ１〜Ｃ４…第１〜第４コンデンサ
Ｄ１〜Ｄ６…第１〜第６ダイオード
Ａ，Ｂ…出力端子
【図１】
0005910333.tif 000003
【図２】
0005910333.tif 000004
【図３】
0005910333.tif 000005